(57)【要約】【課題】無線方式を用いる車載装置の検査結果を適当に作業者に示すことができる検査システムを提供する。【解決手段】複数の検査ライン３と、前記検査ライン３上の車載装置１０と無線接続して、該車載装置１０を検査する複数の検査装置２と、車載装置１０に設けられ、車載装置１０が配置される検査ライン３を示す識別情報の入力を受け付けて、検査装置２に無線送信する制御部１１と、検査ライン３ごとに設けられ、車載装置１０の検査結果を表示する結果表示機４と、を有し、検査装置２は、受信した識別情報から一の前記検査ライン３を識別し、該検査ライン３に設けられた前記結果表示機４に検査結果を出力する検査システム。【選択図】            図４
2005016985.tif 000002
【特許請求の範囲】
【請求項１】
複数の検査ラインと、
前記検査ライン上の被検査物と無線接続して、該被検査物を検査する複数の検査装置と、
前記被検査物に設けられ、該被検査物が搬送される前記検査ラインを示す識別情報の入力を受け付けて、前記検査装置に無線送信する識別情報送信手段と、
前記検査ラインごとに設けられ、前記被検査物の検査結果を表示する結果表示機と、
を有し、
前記検査装置は、受信した前記識別情報から一の前記検査ラインを識別し、該検査ラインに設けられた前記結果表示機に検査結果を出力する検査システム。
【請求項２】
前記識別情報は、音声により入力が受け付けられる請求項１に記載の検査システム。
【請求項３】
前記被検査物は、携帯電話と無線通信可能な車載装置であり、
前記検査装置は、携帯電話の機能を擬似的に再現するものである請求項１または２に記載の検査システム。
【請求項４】
前記被検査物は、携帯電話の機能を有する車載装置であり、前記検査装置は、携帯電話基地局の機能を擬似的に再現するものである請求項１または２に記載の検査システム。
【請求項５】
複数の検査ラインと、
前記検査ライン上の被検査物と無線接続して、該被検査物を検査する複数の検査装置と、
前記被検査物に設けられ、該被検査物の検査結果を表示する表示手段と、
を有し、
前記検査装置は、無線接続された前記被検査物の前記表示手段に検査結果を出力する検査システム。
【請求項６】
検査可能な被検査物を無線通信により検索する工程と、
前記検索した被検査物を検査する工程と、
複数の検査ラインのうち前記被検査物が搬送される検査ラインを示す識別情報の入力を受け付ける工程と、
受け付けた識別情報が示す検査ラインに設けられた結果表示機に、検査結果を表示する工程と、
を含む検査方法。
【発明の詳細な説明】
【０００１】
【発明の属する技術分野】
本発明は、車両に搭載する車載装置の検査システムおよび検査方法に関する。
【０００２】
【従来の技術】
ユーザの携帯電話と、自動車に搭載される車載装置とをケーブルを介して接続する技術が提案されている。この技術により、ハンズフリー電話機能、各種インターネットコンテンツの閲覧、電子メールの送受信、通信ナビゲーションシステムなどの各種機能を車載装置で実現できる。
【０００３】
このような車載装置は、出荷前に正常に機能するか否かを検査する必要がある。検査では、携帯電話の機能を擬似的に実現する検査装置を用いる。検査装置と車載装置とをケーブルで有線接続し、音声やコマンドの入出力が行えるかを検査する。
【０００４】
検査結果は、結果表示機のランプの点灯により作業者に示される。検査装置および結果表示機は、検査ラインごとに設けられている。ある検査ラインで行われた検査結果は、該検査ラインに設けられる結果表示機に表示される（例えば、特許文献１参照）。
【０００５】
【特許文献１】
特開２０００−１４６７６６号公報（段落「００１４」、「００２１」等参照）
【０００６】
【発明が解決しようとする課題】
近年さらに一歩進んで、携帯電話と、車載装置とをブルートゥース（Ｂｌｕｅｔｏｏｔｈ：登録商標）を用いて無線接続する技術が提案されている。無線接続に対応する車載装置を検査するためには、携帯電話の機能を擬似的に実現する検査装置と無線接続する必要がある。
【０００７】
ここで、上記有線の場合と同様に複数の検査ラインに複数の検査装置を用意して、複数の検査を同時に行うと、次の問題がある。接続が有線ではないので、検査する車載装置は、自分が進む検査ライン上の検査装置とブルートゥース無線接続するとは限らない。通常検査ラインは５ｍ程度の間隔に配置されているので、自分の検査ライン以外の検査装置と無線接続する可能性は充分ある。
【０００８】
検査装置は、どの検査ラインの車載装置と無線通信しているかは特定できない。検査装置が検査結果を自分の検査ラインの結果表示機に表示するとすれば、作業者は、どの検査ラインの結果表示機を見ればよいのかわからない。
【０００９】
このような問題は、上記ブルートゥースを用いた無線接続の例に限らずに起こりうる。例えば、携帯電話を組み込んだ車載装置を検査する際にも、擬似的な基地局として検査装置を設けるので、検査装置がどの車載装置と無線接続されているのかは分からない。これは、出荷前では組み込まれた携帯電話に仮番号しか与えられておらず、仮番号はどの装置も同じだからである。
【００１０】
本発明は、上記事情に鑑みてなされたものであり、無線方式を用いる車載装置の検査結果を適当に作業者に示すことができる検査システムおよび検査方法の提供を目的とする。
【００１１】
【課題を解決するための手段】
本発明の第１は、数の検査ラインと、前記検査ライン上の被検査物と無線接続して、該被検査物を検査する複数の検査装置と、前記被検査物に設けられ、該被検査物が搬送される前記検査ラインを示す識別情報の入力を受け付けて、前記検査装置に無線送信する識別情報送信手段と、前記検査ラインごとに設けられ、前記被検査物の検査結果を表示する結果表示機と、を有し、前記検査装置は、受信した前記識別情報から一の前記検査ラインを識別し、該検査ラインに設けられた前記結果表示機に検査結果を出力する検査システムである。
【００１２】
本発明の第２は、複数の検査ラインと、前記検査ライン上の被検査物と無線接続して、該被検査物を検査する複数の検査装置と、前記被検査物に設けられ、該被検査物の検査結果を表示する表示手段と、を有し、前記検査装置は、無線接続された前記被検査物の表示手段に検査結果を出力する検査システム。
【００１３】
本発明の第３は、検査可能な被検査物を無線通信により検索する工程と、前記検索した被検査物を検査する工程と、複数の検査ラインのうち前記被検査物が搬送される検査ラインを示す識別情報の入力を受け付ける工程と、受け付けた識別情報が示す検査ラインに設けられた結果表示機に、検査結果を表示する工程と、を含む検査方法。
【００１４】
【発明の効果】
本発明の第１によれば、検査装置が受信した前記識別情報から一の前記検査ラインを識別し、該検査ラインに設けられた前記結果表示機に検査結果を出力する。したがって、検査結果が作業者がいる検査ラインの結果表示機に表示されるので、作業者が容易に検査結果を確認できる。
【００１５】
本発明の第２によれば、検査結果が検査装置に設けられた表示手段に出力されるので、検査装置側からどの被検査物を検査しているのか判らなくても、適当に作業者に検査結果を示すことができる。
【００１６】
本発明の第３によれば、入力された前記識別情報から一の前記検査ラインを識別し、該検査ラインに設けられた前記結果表示機に検査結果を出力する。したがって、検査結果が作業者がいる検査ラインの結果表示機に表示されるので、作業者が容易に検査結果を確認できる。
【００１７】
【発明の実施の形態】
以下、図面を参照して、本発明の実施の形態を説明する。
【００１８】
（第１の実施の形態）
本発明の第１は、複数の検査ラインと、前記検査ライン上の被検査物と無線接続して、該被検査物を検査する複数の検査装置と、前記被検査物に設けられ、該被検査物が配置される前記検査ラインを示す識別情報を受け付けて、前記検査装置に無線送信する識別情報送信手段と、前記検査ラインごとに設けられ、前記被検査物の検査結果を表示する結果表示機と、を有し、前記検査装置は、受信した前記識別情報から一の前記検査ラインを識別し、該検査ラインに設けられた前記結果表示機に検査結果を出力する検査システムである。
【００１９】
また、本発明の第２は、検査可能な被検査物を無線通信により検索する工程と、前記検索した被検査物を検査する工程と、複数の検査ラインのうち前記被検査物が配置される検査ラインを示す識別情報を受け付ける工程と、受け付けた識別情報が示す検査ラインに設けられた結果表示機に、検査結果を表示する工程と、を含む検査方法である。
【００２０】
本発明では、車両に搭載される車載装置を被検査物として、検査装置により検査し、作業者に適当に検査結果を示すことを目的とする。最初に、車載装置の構成および検査装置の機能について説明する。
【００２１】
図１は、第１実施形態における車載装置の概略構成および検査装置の機能概要を示す図である。
【００２２】
車載装置１０は、携帯電話と通信を行い、携帯電話の各種機能を車両１内で実現するものである。車載装置１０と携帯電話とは有線で接続されず、無線通信によりデータを送受信する。ユーザが車両１に乗り込んだだけで、自動的に携帯電話の機能を車両１で利用できるようにするためである。この無線通信には、ブルートゥース（Ｂｌｕｅｔｏｏｔｈ：登録商標）のような短距離向けの無線通信規格を用いる。
【００２３】
車載装置１０は、各構成を制御する制御部１１（識別情報送信手段）と、該制御部１１に接続されるマイク１２、スピーカ１３、ステアリングスイッチ（ＳＷ）１４およびディスプレイ１５を有する。
【００２４】
制御部１１は、携帯電話と通信するための通信部を含み、携帯電話との相互通信を可能とする。また、制御部１１は、上記マイク１２、スピーカ１３、ステアリングスイッチおよびディスプレイ１５を制御し、また、それら各構成とのデータの送受信を行う。
【００２５】
マイク１２は、ユーザが音声を入力するために設けられている。スピーカ１３は、音声を出力するために設けられている。マイク１２による音声入力と、スピーカ１３による音声出力により、ユーザは、携帯電話を手に持たずに通話相手と会話できる。いわゆるハンズフリー通話機能が実現される。なお、電話以外にも、マイク１２は所定の命令等の音声入力等にも使用され、また、スピーカ１３は音楽やテレビの音声の発生にも使用される。
【００２６】
ステアリングＳＷ１４は、自動車のハンドルに設けられているスイッチである。具体的には、例えば、通話ボタン、音量調節ボタンなどである。これらのボタンの操作に基づいて、制御部１１は携帯電話に信号を送信し、携帯電話を操作する。運転中に電話がかかってきた場合、ユーザはハンドルにあるステアリングＳＷ１４を押して、呼び出しに応答できる。後は、マイク１２とスピーカ１３を用いて会話ができる。
【００２７】
ディスプレイ１５は、例えば、携帯電話に受信された電子メールを、制御部１１を介して携帯電話から受信し、表示する。他にも、例えば、携帯電話から接続したインターネットサイトのコンテンツを表示できる。
【００２８】
検査装置２は、車両１量産時の完成検査に用いられる。検査装置２は、ユーザが持つブルートゥース無線接続可能な携帯電話の代わりに車両１（車載装置１０）と無線接続する。そして、検査装置２は、あたかも車載装置１０が携帯電話と通信しているように、（１）通話動作、（２）コンテンツ閲覧動作、（３）電子メール受信動作、（４）通信ナビゲーション動作を擬似的に実現する。
【００２９】
（１）通話動作は、ユーザが携帯電話で他人の携帯電話や固定電話と通話している動作である。（２）コンテンツ閲覧動作は、ユーザの携帯電話でインターネット上のあるコンテンツを閲覧する動作である。（３）電子メール動作は、ユーザの携帯電話で電子メールを受信する動作である。（４）通信ナビゲーション動作は、ユーザの携帯電話で通信ナビゲーション用のサーバにアクセスし、カーナビゲーションシステムを利用する動作である。
【００３０】
これら動作の擬似的な実現のため、検査装置２は、一台でユーザの携帯電話、通話相手先の電話、各種サーバ、およびこれらを接続する公衆回線網の役割を果たす。そして、検査装置２は、あたかも車載装置１０がユーザの携帯電話を介して通話相手と電話し、各種サーバにアクセスしているように見せる。検査装置２は、車載装置１０と文字、画像、および音声データの送受信を行い、これに対応して車載装置１０が適当に動作するかどうかを検査する。
【００３１】
ここで行う検査は、具体的には、次の検査１〜４である。
【００３２】
（検査１）
検査装置２は、携帯電話に着信があったかのように呼び出し信号を発生し、車載装置１０に送信する。ここで、車載装置１０のスピーカ１３から呼び出し音が発生すれば、車載装置１０が携帯電話の着信に対応して動作していることを確認できる。また、マイク１２に作業者が音声を入力する。該音声が制御部１１を介して検査装置２に送信されれば、通話中のユーザの声が相手の電話に届くことが確認できる。
【００３３】
（検査２）
また、検査装置２は、所定のコンテンツのデータを車載装置１０に送信する。これがディスプレイ１５に表示されれば、携帯電話を介してインターネット上の情報をディスプレイ１５で表示できることを確認できる。
【００３４】
（検査３）
検査装置２は、所定のメッセージの電子メールを車載装置１０に送信する。これがディスプレイ１５に表示されれば、携帯電話を介して電子メールの内容をディスプレイ１５に表示できることを確認できる。
【００３５】
（検査４）
検査装置２は、カーナビゲーション用のデータを車載装置１０に送信する。これがディスプレイ１５に表示されれば、携帯電話を介してカーナビゲーション用のデータを得て、活用できることを確認できる。
【００３６】
なお、上記検査１において、検査装置２は実際には、他人の電話に接続されていない。その代わりに、検査装置２は、電話があったように着信データを車載装置１０に送信する機能を有する。また、上記検査２〜４において、検査装置２は実際には、インターネットに接続されていない。その代わりに、検査装置２は、車載装置１０への送信用に、コンテンツのデータ、電子メールのデータ、カーナビゲーション用のデータを予め記憶している。
【００３７】
このように、検査装置２が擬似的に他人の電話やインターネットに接続されているように振舞えれば、実際に検査装置２をインターネット等に接続する必要がない。これにより、コストを低減できる。
【００３８】
次に、実際に、検査装置２により車両１の完成検査を行う様子を、図２を参照して説明する。
【００３９】
図２は、複数の車両を同時に完成検査する検査システムを示す概略図である。なお、図２では、車載装置１０の検査工程以外の検査工程は省略している。
【００４０】
検査システムは、複数の検査ライン３と、該検査ライン３ごとに設けられた複数の結果表示機４と、検査ライン３の数だけ設けられた複数の検査装置２とを有する。各検査装置２と各結果表示機４とは、それぞれ相互に有線または無線接続されている。
【００４１】
車両１は量産されているため、複数の検査ライン３に分けて搬送され、複数の検査装置２によりそれぞれ同じ検査が行われている。検査装置２は、上述の通り、車載装置１０と無線接続して検査を行う。
【００４２】
検査システムの動作について説明する。
【００４３】
図３は検査システムの動作の流れを示すフローチャート、図４は検査ラインを示す識別情報を入力する様子を示す図、図５は結果表示機を示す図である。
【００４４】
以下では、検査ライン番号＃１の検査ライン３において、車両１が車載装置１０の検査工程に導入された場合について例示する。
【００４５】
各検査装置２は、検査開始の合図であるトリガーが入力されるまで（ステップＳ１：ＮＯ）、待機する。ここで、トリガーは、搬送されてきた車両１による光電管の光の遮光に従って自動的に入力されてもよいし、また、作業者が所定のボタンを押下することに基づいて入力されてもよい。
【００４６】
トリガーが入力されると（ステップＳ１：ＹＥＳ）、検査を行っていない（空いている）検査装置２の一つが選択される（ステップＳ２）。ここでは、例えば、トリガーが最初に入力された検査装置２、車載装置１０からの電波を最も強く受信できる検査装置２、または、予め定められた優先順位が最も高い検査装置２が選択される。
【００４７】
選択された検査装置２は、他の検査装置２が検査するための車両１を検索中かどうかを判断する（ステップＳ３）。
【００４８】
他の検査装置２が検索中である場合（ステップＳ３：ＹＥＳ）、該他の検査装置２の検索が終わるまで待機する。他の検査装置２が検索中でない場合（ステップＳ３：ＮＯ）、検査装置２は、検査可能となっている車両１を検索・特定し（ステップＳ４）、通信を確立する（ステップＳ５）。検査可能となっている車両１とは、車載装置１０の検査工程に入っている車両１である。検査車両１を検索・特定するまでは、検査装置２は、車載装置１０と非同期通信方式で通信を行う。
【００４９】
検査装置２は、特定した車両１の車載装置１０と同期通信方式による音声通話を開始する（ステップＳ６）。そして、上述の（１）通話動作、（２）コンテンツ閲覧動作、（３）電子メール受信動作、（４）通信ナビゲーション動作を実現し、一連の検査１〜４を実施する（ステップＳ７）。
【００５０】
検査１〜４が完了すると、図４に示すように、作業者は、車載装置１０のマイク１２に向かって、作業者がいる検査ライン３のライン番号＃１を発生し、音声入力する（ステップＳ８）。マイク１２に入力された音声は、制御部１１から検査装置２に送信され、音声解析されて、入力されたライン番号＃１が識別される（ステップＳ９）。
【００５１】
検査装置２は、識別したライン番号＃１に基づいて、該当する検査ライン３に配置される結果表示機４に検査結果を送信する（ステップＳ１０）。検査結果を受信した結果表示機４は、図５に示すように、ランプを点灯させて、検査結果の良否を作業者にわかりやすく表示する（ステップＳ１１）。
【００５２】
なお、図５に示す接続テスト、通信テスト、マイクテストとは、それぞれ、ステップＳ４、ステップＳ５、ステップＳ７で行われるテストである。接続テストは、ステップＳ４において、検査するための車両１を検索・特定できるかどうかにより判断されるテストである。通信テストは、検査装置２および車両１間の通信が確立するかどうかにより判断されるテストである。マイクテストは、上記検査１〜４を通じて正常に車載装置１０が応答するかどうかにより判断されるテストである。
【００５３】
図５に示す例では、ステップＳ４で車両１を検索・特定されたので、接続テストが良好と判断され、接続ＯＫのランプが点灯される。また、ステップＳ５で検査装置２および車両１間の通信が確立されたので、通信テストが良好と判断され、通信ＯＫのランプが点灯される。ステップＳ７で音声通話を含む各検査１〜４において車載装置１０から適当に応答があったので、マイクテストが良好と判断され、マイクＯＫのランプが点灯される。逆に、検査装置２および車両１間を接続できない場合には、接続ＯＫランプは点灯されず、通信できない場合には、通信ＮＧランプが点灯され、検査結果が不良である場合には、マイクＮＧが点灯される。
【００５４】
以上のように、本第１実施形態では、作業者がマイク１２に向かって発声した自分の検査ライン３を示すライン番号（識別情報）を、検査装置２が解析して、該当する検査ライン３の結果表示機４に出力し、検査結果を表示させている。したがって、検査装置２から見て、どの車載装置１０を検査しているかが判らなくても、適当な結果表示機４に検査結果を表示できる。作業者は、自分のいる検査ライン３で検査結果を確認できる。
【００５５】
なお、上記第１実施形態では、検査ラインを示す識別情報として検査ライン番号を音声入力しているが、これに限定されない。車載装置１０のディスプレイから検査ライン番号を入力しても良い。また、検査ライン番号ではなく、他の識別情報を入力してもよい。
【００５６】
なお、ブルートゥース（登録商標）のような短距離向けの無線通信規格を用いる場合、離れている車両１と検査装置２とが無線通信できないことがある。これを解決するために、図６に示すようなアンテナを別途設けることができる。
【００５７】
図６は、離れている車両１および検査装置２間にアンテナを設けた様子を示す図である。
【００５８】
図６下側に示すように、離れている検査装置２から延びた先にアンテナを設け、このアンテナで離れた車両１の車載装置１０と通信可能とする。この他にも、ライン間に中継アンテナを複数設けて、遠距離の車両１および検査装置２を無線接続することもできる。
【００５９】
（第２の実施の形態）
本発明の第３は、複数の検査ライン３と、前記検査ライン３上の被検査物と無線接続して、該被検査物を検査する複数の検査装置２と、前記被検査物に設けられ、該被検査物の検査結果を表示する結果表示機４と、を有し、前記検査装置２は、無線接続された前記被検査物に検査結果を出力する検査システムである。
【００６０】
第１実施形態では、作業者が検査ライン３を示す識別情報を音声入力することによって、作業者がいる検査ライン３に検査結果を表示している。これに対し、第２実施形態では、作業者が検査ライン３を示す識別情報を音声入力しなくても、適当に検査結果が得られる。以下、第２実施形態における検査システムの動作の流れを説明する。
【００６１】
なお、車載装置１０および検査装置２は、上記第１実施形態で図１および図２を参照して説明したものと同様である。したがって、その説明は省略する。
【００６２】
図７は第２実施形態における検査システムの動作の流れを示すフローチャート図８は検査結果が作業者に示される様子を示す図である。なお、図７に示すステップＳ２１〜２７は、図３に示すステップ１〜７と同様であるので、ステップＳ２８について主に説明する。
【００６３】
検査装置２は、ステップＳ２１〜２７において、一の車載装置１０について、接続テスト、通信テスト、マイクテストを実行する。ここで、検査装置２は、車載装置１０と無線接続されている。これを利用して、検査装置２は、図８に示すように、検査結果を車載装置１０に無線送信し、車載装置１０のスピーカ１３から音声出力させる。つまり、車載装置１０のスピーカ１３から音声により検査結果を作業者に伝える。
【００６４】
このように、第２実施形態では、検査結果を車載装置１０側で音声出力させる。したがって、作業者から見て、車載装置１０がどの検査装置２と通信しているかが判らなくても、車両１のスピーカ１３から検査結果を聞き、間違うことなく検査結果を知ることができる。
【００６５】
なお、検査結果を音声でスピーカ１３から出力する他に、ディスプレイ１５に表示させることもできる。この場合、例えば、検査結果を含む電子メールを検査装置２で作成し、これを車載装置１０に送信する。電子メールを開くと、検査結果がディスプレイ１５に表示される。
【００６６】
（第３の実施の形態）
第１実施形態では、検査装置２がユーザの携帯電話の機能を擬似的に再現して、車載装置１０を検査している。検査対象となる車載装置１０は、携帯電話と無線通信する機能を有する。一方で、携帯電話自体を組み込んだ車載装置も、現在製造されている。
【００６７】
第３実施形態では、携帯電話を組み込んだ車載装置を検査する検査システムについて説明する。
【００６８】
図９は第３実施形態における車載装置の概略構成および検査装置７の機能概要を示す図である。
【００６９】
本実施形態では、車載装置は、携帯電話の機能により携帯電話基地局（以下、単に基地局という）と通信を行い、携帯電話の各種機能を車両６内で実現する。車載装置と基地局とは無線通信によりデータを送受信する。車載装置の電源がＯＮにされると、車載装置と基地局との通信が開始する。この通信は、通常の携帯電話と同様の仕組みで達成される。
【００７０】
車載装置は、第１実施形態と同様に、各構成を制御する制御部６１と、該制御部６１に接続されるマイク１２、スピーカ１３、ステアリングスイッチ（ＳＷ）およびディスプレイ１５を有する。マイク１２、スピーカ１３、ステアリングＳＷ１４、ディスプレイ１５の機能は、第１実施形態と略同じなので、説明を省略する。
【００７１】
第１実施形態と異なる点は、制御部６１が携帯電話の機能を有していることである。したがって、出荷後の車載装置は、直接基地局と無線接続して、通信を行う。これにより、ユーザが携帯電話を持っていなくても、車内で他人の電話との通話や、インターネット接続を実現できる。出荷前の検査では、車載装置が基地局と無線通信して、各種動作を実現できるかを調べる。
【００７２】
検査装置７は、車両６量産時の完成検査に用いられる。検査装置７は、基地局の代わりに車載装置と無線接続する。そして、検査装置７は、（１）通話動作、（２）コンテンツ閲覧動作、（３）電子メール受信動作、（４）通信ナビゲーション動作を擬似的に実現する。
【００７３】
これら動作の擬似的な実現のため、検査装置７は、一台で基地局、通話相手先の電話、各種サーバ、およびこれらを接続する公衆回線網の役割を果たす。そして、検査装置７は、あたかも車載装置が基地局を介して通話相手と電話し、各種サーバにアクセスしているように見せる。検査装置７は、車載装置と文字、画像、および音声データの送受信を行い、これに対応して車載装置が適当に動作するかどうかを検査する。具体的な検査は、第１実施形態の検査１〜４と同じである。
【００７４】
なお、車載装置は、出荷後には通常の携帯電話と同様に唯一の電話番号が与えられる。しかし、出荷前には、唯一の電話番号は与えられておらず、仮番号としていずれの車載装置にも同じ電話番号が与えられている。車載装置は、この番号により検査装置７と接続され、検査が受けられる。
【００７５】
ここで、図２に示すように、複数の検査ライン３で、複数の車載装置を検査する場合を考える。この場合、車載装置に与えられる電話番号が同じなので、検査装置７から見てどの検査ライン３の車載装置と通信しているかは判らない。従って、検査結果をどの検査ライン３の結果表示機４に表示するか判断できないという問題がある。本第３実施形態では、この問題を解決する。以下、検査システムの動作を説明する。
【００７６】
図１０は第３実施形態における検査システムの動作の流れを示すフローチャートである。
【００７７】
以下では、検査ライン番号＃１の検査ライン３において、車両６が車載装置の検査工程に導入された場合について例示する。
【００７８】
まず、車両６の車載装置は、検査を実行する検査装置７を検索する（ステップＳ４１）。この検索は、搬送されてきた車両６による光電管の光の遮光をきっかけに自動的に開始されてもよいし、また、作業者が所定のボタンを押下することによって開始されてもよい。
【００７９】
そして、検査装置７のうち、現在検査を行っていない（空いている）検査装置７の一つが選択される（ステップＳ４２）。ここでは、例えば、最初に車載装置と接続された検査装置７、車載装置からの電波を最も強く受信できる検査装置７、または、予め定められた優先順位が最も高い検査装置７が選択される。
【００８０】
検査装置７は、無線接続が確立すると（ステップＳ４３）、音声通話を開始し（ステップＳ４４）、各種検査を実施する（ステップＳ４５）。
【００８１】
検査が終了すると、図４に示すように、作業者は、マイク１２に向かって、自分がいる検査ライン３のライン番号＃１（識別情報）を発声し、音声入力する（ステップＳ４６）。マイク１２に入力された音声は、制御部６１から検査装置７に送信され、音声解析される。そして、音声入力されたライン番号が識別される（ステップＳ４７）。
【００８２】
検査装置７は、識別したライン番号に基づいて、該当する検査ライン３に配置される結果表示機４に検査結果を送信する（ステップＳ４８）。検査結果を受信した結果表示機４は、図５に示すように、ランプを点灯させて、検査結果の良否を作業者にわかりやすく表示する（ステップＳ４９）。
【００８３】
以上のように、本第３実施形態によれば、車載装置が携帯電話を組み込んだものであっても容易に検査でき、検査結果を作業者に判りやすく表示できる。
【００８４】
なお、第３実施形態では、自分がいる検査ライン３を示す識別情報を音声により入力する。そして、検査装置７は、入力された音声に基づいて適当な検査ライン３の結果表示機４に検査結果を表示させている。しかし、検査結果の出力は、これに限定されない。例えば、検査装置７は、検査結果を、電子メールにより車載装置に送信し、これを車載装置のディスプレイ１５に表示させてもよい。
【図面の簡単な説明】
【図１】第１実施形態における車載装置の概略構成および検査装置の機能概要を示す図である。
【図２】複数の車両を同時に完成検査する検査システムを示す概略図である。
【図３】検査システムの動作の流れを示すフローチャートである。
【図４】検査ラインを示す識別情報を入力する様子を示す図である。
【図５】結果表示機を示す図である。
【図６】離れている車両および検査装置間にアンテナを設けた様子を示す図である。
【図７】第２実施形態における検査システムの動作の流れを示すフローチャートである。
【図８】検査結果が作業者に示される様子を示す図である。
【図９】第３実施形態における車載装置の概略構成および検査装置の機能概要を示す図である。
【図１０】第３実施形態における検査システムの動作の流れを示すフローチャートである。
【符号の説明】
１、６…車両、
２、７…検査装置、
３…前記検査ライン、
４…前記結果表示機、
１０…車載装置、
１１、６１…制御部、
１２…マイク、
１３…スピーカ、
１４…ステアリングＳＷ、
１５…ディスプレイ。
【図１】
2005016985.tif 000003
【図２】
2005016985.tif 000004
【図３】
2005016985.tif 000005
【図４】
2005016985.tif 000006
【図５】
2005016985.tif 000007
【図６】
2005016985.tif 000008
【図７】
2005016985.tif 000009
【図８】
2005016985.tif 000010
【図９】
2005016985.tif 000011
【図１０】
2005016985.tif 000012